(57)【要約】  本発明の例の実施の形態は、部屋の塵を払い清掃するための毎日の清掃作業と周期的な清掃作業との両方を含む清掃システムを有する。従来のシステムよりも少ない項目数及びより多くの生体適合性、生物学的に安全な用品を利用することによって、本実施形態の清掃システムは、必要なツールがより少なく、ユーザが時間節約の特徴のいくつかの清掃プロセスを組み合わせることを可能にする。本発明は、汚れや塵がブラシ毛の列の間のギャップ中に掃かれることを可能にする清掃ブラシ具の使用を含む。この清掃ブラシ具は、金属レールによってハンドルに取り付けられる。塵は、塵を掃き集める個別の工程を必要とすることなく、吸引孔の列に同時に集められる。内側及び外側のブラシ毛の間隔は、塵が、通気する空気へ絶えず分散することなくギャップの中に閉じ込められることを可能にする。
2011504789.tif 000002
【特許請求の範囲】
【請求項１】
部屋の塵を払い清掃するための清掃システムであって、
毎日の清掃作業は、
ごみを集めて、このごみを、キャスタ付台車に取り付けられた容器を有する、ごみを集めるための輸送体に移すことと、
真空掃除機に取り付けられた清掃ブラシ具を使用して、汚れを取ることと、
マイクロファイバクロス及び生物学的に安全な汎用洗浄剤を使用して、表面の汚れを清掃することと、
床の汚れを清掃することと、
所望のレベルの清潔さを確実にし、かつ全てのツール、設備及びイスが適切な位置に戻されたことを確かめるために、部屋を点検することと、を具備し、
前記清掃ブラシ具は、
第１の端部及び第２の端部を有するハンドルと、
外側のブラシ毛の第１の列及び外側のブラシ毛の第２の列を有するブラシの外側部分に沿ったブラシ毛の外側レールと、
内側のブラシ毛の第１の列及び内側のブラシ毛の第２の列を有するブラシの内側部分に沿ったブラシ毛の内側レールと、
ブラシ内に捕えられた物質を除去するために、前記外側のブラシ毛の第１の列と前記外側のブラシ毛の第２の列との間に位置された複数の吸引孔の少なくとも１つの列と、
前記ハンドルの前記第２の端部に沿って位置されたブラシ毛の前列と、を有し、また、
周期的な清掃作業は、
前記清掃ブラシ具を使用して、上方及び下方の塵の付いたエリアの塵を払うことと、
前記マイクロファイバクロス及び生物学的に安全な汎用洗浄剤を使用して、部屋の全ての表面を水拭きすることと、
床を全体的に清掃することと、を具備する、部屋の塵を払い清掃するための清掃システム。
【請求項２】
前記床の汚れを清掃することは、環境に配慮した設計のリーダーシップ（ＬＥＥＤ）グリーンビルディング評価等級システム（登録商標）のガイドラインによる標準設定に従って、７０デシベル以下の音で、０．３ミクロンの微粒子の９９．９７％を捕えることが可能な真空掃除機を使用して掃除機をかけることを含む、請求項１の部屋の塵を払い清掃するための清掃システム。
【請求項３】
前記床の汚れを清掃することは、単一工程のモップがけシステムを使用してモップをかけることを含む、請求項１の部屋の塵を払い清掃するための清掃システム。
【請求項４】
前記単一工程のモップがけシステムは、押しボタン流体制御バルブを有する、請求項３の部屋の塵を払い清掃するための清掃システム。
【請求項５】
前記押しボタン流体制御バルブは、駆動されたとき、生物学的に安全な中性のｐＨの床用洗剤を撒布する、請求項４の部屋の塵を払い清掃するための清掃システム。
【請求項６】
前記床を全体的に清掃することは、汎用カーペット洗浄剤及びしみ抜き剤を噴霧することを含む、請求項１の部屋の塵を払い清掃するための清掃システム。
【請求項７】
前記汎用カーペット洗浄剤及びしみ抜き剤は、圧力式噴霧器で塗布される、請求項１の部屋の塵を払い清掃するための清掃システム。
【請求項８】
前記汎用カーペット洗浄剤及びしみ抜き剤は、低水分システムでの使用のために設計されており、抽出を必要としない、請求項６の部屋の塵を払い清掃するための清掃システム。
【請求項９】
前記清掃ブラシ具は、内側のブラシ毛の第３の列をさらに有する、請求項１の部屋の塵を払い清掃するための清掃システム。
【請求項１０】
前記清掃ブラシ具のブラシ毛の前記外側レール及び内側レールは、ごみ及び汚れを空気で運ぶように構成されている、請求項１の部屋の塵を払い清掃するための清掃システム。
【請求項１１】
前記清掃ブラシ具の複数の吸引孔の少なくとも１つの列は、
前記外側のブラシ毛の第１の列と、前記内側のブラシ毛の第１の列との間に位置された複数の吸引孔の第１の列と、
前記外側のブラシ毛の第２の列と、前記内側のブラシ毛の第２の列との間に位置された複数の吸引孔の第２の列と、
前記内側のブラシ毛の第１の列と第２の列との間に位置された複数の吸引孔の第３の列と、を有する、請求項１の部屋の塵を払い清掃するための清掃システム。
【請求項１２】
前記第１、第２及び第３の列の前記複数の吸引孔は、互いに関連して互い違いに配置されている、請求項１１の部屋の塵を払い清掃するための清掃システム。
【請求項１３】
前記清掃ブラシ具のブラシ毛の前列は、前記ハンドルから所定の角度で突出し、９０度でない所定の角度を形成している複数のブラシ毛を有する、請求項１の部屋の塵を払い清掃するための清掃システム。
【請求項１４】
前記清掃ブラシ具は、前記複数の吸引孔の少なくとも１つの列の各吸引孔に隣接している複数の傾斜した突条部をさらに有する、請求項１の部屋の塵を払い清掃するための清掃システム。
【請求項１５】
前記ハンドルの前記第１の端部に近接している前記清掃ブラシ具の前記複数の吸引孔は、前記ハンドルの前記第２の端部に近接している前記複数の吸引孔よりも小さい、請求項１の部屋の塵を払い清掃するための清掃システム。
【請求項１６】
前記周期的な作業は、毎週行われる、請求項１の部屋の塵を払い清掃するための清掃システム。
【請求項１７】
前記床を全体的に清掃することは、
カーペットに全体的に掃除機をかけることと、
床をモップがけすることと、を含む、請求項１の部屋の塵を払い清掃するための清掃システム。
【請求項１８】
休憩室の塵を払い清掃するための清掃システムであって、
毎日の清掃作業は、
生物学的に安全な汎用洗浄剤をマイクロウェブに予め噴霧することと、
マイクロファイバクロス及び生物学的に安全な汎用洗浄剤を使用して、マイクロウェブを清掃することと、
マイクロファイバクロス及び生物学的に安全な汎用洗浄剤を使用して、表面の汚れを清掃することと、
レストルームの作り付け備品の毎日の清掃のために、生物学的に安全な非腐食性の洗剤を使用して洗面台を清掃することと、
床の汚れを清掃することと、
所望のレベルの清潔さを確実にし、かつ全てのツール、設備及びイスが適切な位置に戻されたことを確かめるために、休憩室を点検することと、を具備し、また、
周期的な清掃作業は、
清掃ブラシ具を使用して、上方及び下方の塵の付いたエリアの塵を払うことと、
前記マイクロファイバクロス及び前記生物学的に安全な汎用洗浄剤を使用して、休憩室の全ての表面を湿らせて清掃することと、
床を全体的に清掃することと、を具備し、
前記清掃ブラシ具は、
第１の端部及び第２の端部を有するハンドルと、
外側のブラシ毛の第１の列及び外側のブラシ毛の第２の列を有するブラシの外側部分に沿ったブラシ毛の外側レールと、
内側のブラシ毛の第１の列及び内側のブラシ毛の第２の列を有するブラシの内側部分に沿ったブラシ毛の内側レールと、
ブラシ内に捕えられた物質を除去するために、前記外側のブラシ毛の第１の列と前記外側のブラシ毛の第２の列との間に位置された複数の吸引孔の少なくとも１つの列と、
前記ハンドルの前記第２の端部に沿って位置されたブラシ毛の前列と、を有する、休憩室の塵を払い清掃するための清掃システム。
【請求項１９】
前記清掃ブラシ具の複数の吸引孔の少なくとも１つの列は、
前記外側のブラシ毛の第１の列と、前記内側のブラシ毛の第１の列との間に位置された複数の吸引孔の第１の列と、
前記外側のブラシ毛の第２の列と、前記内側のブラシ毛の第２の列との間に位置された複数の吸引孔の第２の列と、
前記内側のブラシ毛の第１の列と第２の列との間に位置された複数の吸引孔の第３の列と、を有する、請求項１８の休憩室の塵を払い清掃するための清掃システム。
【請求項２０】
前記第１、第２及び第３列の前記複数の吸引孔は、互いに関連して互い違いに配置されている、請求項１９の休憩室の塵を払い清掃するための清掃システム。
【請求項２１】
レストルームの塵を払い清掃するための清掃システムであって、
毎日の清掃作業は、
レストルームの作り付け備品の毎日の清掃のために、生物学的に安全な非腐食性の洗剤をトイレ及び洗面台に予め噴霧することと、
生物学的に安全な汎用洗浄剤を他の表面に予め噴霧することと、
全てのレストルームに供給物を補充することと、
ごみを集めて、このごみを、キャスタ付台車に取り付けられた容器を有する、ごみを集めるための輸送体に移すことと、
マイクロファイバクロスを使用して、上面、トイレ及び洗面台を水拭きすることと、
床の汚れを清掃することと、
所望のレベルの清潔さを確実にし、かつ全てのツール及び設備が適切な位置に戻されたことを確かめるために、レストルームを点検することと、を具備し、また、
周期的な清掃作業は、
真空掃除機に取り付けられた清掃ブラシ具を使用して、上方及び下方の塵の付いたエリアの塵を払うことと、
マイクロファイバクロスを使用して、作り付け備品の下の配管を含む下面を水拭きすることと、を具備し、
前記清掃ブラシ具は、
第１の端部及び第２の端部を有するハンドルと、
外側のブラシ毛の第１の列及び外側のブラシ毛の第２の列を有するブラシの外側部分に沿ったブラシ毛の外側レールと、
内側のブラシ毛の第１の列及び内側のブラシ毛の第２の列を有するブラシの内側部分に沿ったブラシ毛の内側レールと、
ブラシ内に捕えられた物質を除去するために、前記外側のブラシ毛の第１の列と前記外側のブラシ毛の第２の列との間に位置された複数の吸引孔の少なくとも１つの列と、
前記ハンドルの前記第２の端に沿って位置されたブラシ毛の前列と、を有する、レストルームの塵を払い清掃するための清掃システム。
【請求項２２】
前記周期的な清掃作業は、ブラシ及び前記生物学的に安全な非腐食性の洗剤を使用して、シャワーを全体的に清掃することをさらに具備する、請求項２１のレストルームの塵を払い清掃するための清掃システム。
【発明の詳細な説明】
【技術分野】
【０００１】
本発明は、一般的に、捕獲及び除去清掃システムに関する。特に、本発明は、持続可能な（sustainable）清掃用品を使用して、環境への影響の低い清掃とシステムとを結び付けたシステムに関する。
【背景技術】
【０００２】
塵、汚れ及び他の固体の不要な、又は望ましくない混合物であり廃棄物であるごみは、しばしば、会社、家庭及び他の人間のいる環境で、床やカーペットの上のような表面に積もる。塵は、しばしば塵ダニ（dust mite）を引きつけ、この塵ダニは、寝具、家具及びカーペットの繊維中で繁殖する。塵の微粒子やこれら塵ダニの糞を消化するために塵ダニによって使用される酵素は、ハウスダストの一部となり、人間にアレルギ反応を引き起こし得る。実際、塵ダニは、世界中で喘息及びアレルギ症状の最もありがちな原因であると考えられている。
【０００３】
見た目の美しさ及び健康に関する理由のために、ごみを除去するための多くの清掃システムが開発されてきている。これらの従来の清掃システムは、個々の適用品を使用した複雑な清掃に焦点を当てている。これらの用品は、代表的には、いくつかのスプレーボトル、スクィーズボトル、クリーニングクロス、ダストモップ、ウェットモップ、ボウルモップ及びホルダ、並びにバケツ及び絞り機を含む。従来の清掃プロセスは、手による、もしくは、ダストクロス、スポンジ、ダスタ、又はほうきを用いた、もしくは、真空掃除機、又はエアフィルタによる吸引による、拭き取り、強く叩くこと（swiping）、又は掃き掃除を含むことができる。このようなプロセスの１つは、ブラシ毛を有するブラシの使用を含み、このブラシは、ちりとりのような所定の適切な器具を使用して後で集められる位置にごみを掃くために使用される。これらの以前の清掃システムの主な欠点は、しばしば、ごみが、まず、所望の位置に掃かれなければならず、そして、これとは別に、ごみを除去するために、さらなる清掃工程や器具を利用するということである。このように、従来の清掃システムは、しばしば、各清掃作業を果すために、多くの工程及びツールを必要とし、また、清掃システムの安全で効率的な使用を可能にするために、いくつかのユーザマニュアル及び教示ビデオに帰着する。
【０００４】
さらに、会社、家庭及び他の人間のいる環境で頻繁に積もる塵や他の砕片（debris）は、簡単に空気で運ばれ得、塵が取り除かれたとき、塵をきれいにする、又は除去することを意図した活動が、塵を簡単に空気で運び得るので、注意がなされなければならない。塵の微粒子を捕えることを試みている間に、塵の微粒子がしばしば空気で運ばれて、環境中の表面上に再び定在するようになるので、塵を除去する以前の器具及び方法は、しばしば非効率的である。さらに、塵の微粒子が、掃除をする人の肺にとどまるようになり得るので、活動は、幾分危険になり得る。塵の微粒子の吸入を防ぐことは、喘息やアレルギを持っている人々にとって特に重要である。
【０００５】
従って、必要なツールがより少なく、複数の処理を同時に行える（マルチタスキング）プロセス工程を利用した、改良された清掃のための清掃システムを提供することが望ましい。また、空気中への塵の微粒子の分散を防ぎながら、中心位置にごみを捕えて集めるためのシステムを開発することが望ましい。さらに、使用するのがより簡単で、清掃人員を訓練するのがより簡単な清掃システムを開発することが望ましい。
【発明の概要】
【０００６】
前述の必要性は、本発明によって大いに満たされる。本発明の一態様では、清掃システムは、特に、清掃人員の訓練を簡単にし、清掃用品の安全性を改良し、清掃項目数（inventory）を減らし、かつ室内の空気の質を改良しつつ、改良された清掃を提供するように設計されている。さらに、この清掃システムは、ブラシ毛の列の間のギャップ内に塵の微粒子を安全に集める清掃ブラシ具を有するいくつかの実施の形態で提供される。
【０００７】
塵を払い清掃するための清掃システムは、毎日の清掃作業及び周期的な清掃作業を含む。毎日の作業は、ごみを集めて、このごみを、キャスタ付台車に取り付けられた容器を有する、ごみを集めるための輸送体（vehicle）に移すことと、真空掃除機に取り付けられた清掃ブラシ具を使用して、汚れを取ることと、マイクロファイバクロス及び生物学的に安全な汎用洗浄剤を使用して、表面の汚れを清掃することと、床の汚れを清掃することと、所望のレベルの清潔さを確実にし、かつ全てのツール、設備及びイスが適切な位置に戻されたことを確かめるために、部屋を点検することと、を具備する。また、周期的な清掃作業は、清掃ブラシ具を使用して、上方及び下方の塵の付いたエリア（dusting area）の塵を払うことと、マイクロファイバクロス及び生物学的に安全な汎用洗浄剤を使用して、部屋の全ての表面を水拭きすることと、床を全体的に清掃することと、を具備する。例えば、周期的な作業は、毎週行われることができる。
【０００８】
例の実施の形態では、本発明の清掃システムと共に使用される清掃ブラシ具は、第１の端部及び第２の端部を有するハンドルと、外側のブラシ毛の第１の列及び外側のブラシ毛の第２の列を有するブラシの外側部分に沿ったブラシ毛の外側レールと、内側のブラシ毛の第１の列及び内側のブラシ毛の第２の列を有するブラシの内側部分に沿ったブラシ毛の内側レールと、ブラシ内に捕えられた物質を除去するために、前記外側のブラシ毛の第１の列と前記外側のブラシ毛の第２の列との間に位置された複数の吸引孔の少なくとも１つの列と、前記ハンドルの前記第２の端部に沿って位置されたブラシ毛の前列と、を有する。前記清掃ブラシ具は、内側のブラシ毛の第３の列をさらに有することができる。さらに、前記清掃ブラシ具のブラシ毛の前記外側レール及び内側のレールは、ごみ及び汚れを空気で運ぶように構成されることができる。
【０００９】
清掃ブラシ具のいくつかの実施の形態では、前記清掃ブラシ具の複数の吸引孔の少なくとも１つの列は、前記外側のブラシ毛の第１の列と、前記内側のブラシ毛の第１の列との間に位置された複数の吸引孔の第１の列と、前記外側のブラシ毛の第２の列と、前記内側のブラシ毛の第２の列との間に位置された複数の吸引孔の第２の列と、前記内側のブラシ毛の第１の列と第２の列との間に位置された複数の吸引孔の第３の列と、を有することができる。また、前記第１、第２及び第３の列の前記複数の吸引孔は、互いに関連して互い違いに配置されることができる。前記清掃ブラシ具のブラシ毛の前列は、前記ハンドルから所定の角度で突出し、９０度でない所定の角度を形成している複数のブラシ毛を有することができる。このブラシ具は、前記複数の吸引孔の少なくとも１つの列の各吸引孔に隣接している複数の傾斜した突条部をさらに有することができる。前記ハンドルの前記第１の端部に近接している前記清掃ブラシ具の前記複数の吸引孔は、前記ハンドルの前記第２の端部に近接している前記複数の吸引孔よりも小さいことができる。
【００１０】
塵を払い清掃するための清掃システムの例の実施の形態では、前記床の汚れを清掃することは、環境に配慮した設計のリーダーシップ（ＬＥＥＤ）グリーンビルディング評価等級システム（登録商標）のガイドラインによる標準設定に従って、７０デシベル以下の音で、０．３ミクロンの微粒子の９９．９７％を捕えることが可能な真空掃除機を使用して掃除機をかけることを含むことができる。前記床の汚れを清掃することは、単一工程のモップがけシステムを使用してモップをかけることを含むことができる。この単一工程のモップがけシステムは、押しボタン流体制御バルブを有することができる。この押しボタン流体制御バルブは、駆動されたとき、生物学的に安全な中性のｐＨの床用洗剤を撒布する。
【００１１】
清掃システムの例の実施の形態では、前記床を全体的に清掃することは、汎用カーペット洗浄剤及びしみ抜き剤を噴霧することを含む。前記汎用カーペット洗浄剤及びしみ抜き剤は、圧力式噴霧器で塗布されることができる。前記汎用カーペット洗浄剤及びしみ抜き剤は、低水分システムでの使用のために設計されており、抽出を必要としない。前記床を全体的に清掃することは、カーペットに全体的に掃除機をかけることと、床をモップがけすることと、を含むことができる。
【００１２】
本発明の例の実施の形態では、休憩室の塵を払い清掃するための清掃システムは、毎日の清掃作業及び周期的な清掃作業を含むことができる。毎日の清掃作業は、生物学的に安全な汎用洗浄剤をマイクロウェブに予め噴霧することと、マイクロファイバクロス及び生物学的に安全な汎用洗浄剤を使用して、マイクロウェブを清掃することと、マイクロファイバクロス及び生物学的に安全な汎用洗浄剤を使用して、表面の汚れを清掃することと、レストルームの作り付け備品（fixture）の毎日の清掃のために、生物学的に安全な非腐食性の洗剤を使用して洗面台を清掃することと、床の汚れを清掃することと、所望のレベルの清潔さを確実にし、かつ全てのツール、設備及びイスが適切な位置に戻されたことを確かめるために、休憩室を点検することと、を具備する。また、周期的な清掃作業は、清掃ブラシ具を使用して、上方及び下方の塵の付いたエリアの塵を払うことと、マイクロファイバクロス及び生物学的に安全な汎用洗浄剤を使用して、休憩室の全ての表面を湿らせて清掃することと、床を全体的に清掃することと、を具備する。
【００１３】
本発明の例の実施の形態では、レストルームの塵を払い清掃するための清掃システムは、毎日の清掃作業及び周期的な清掃作業を含むことができる。毎日の作業は、レストルームの作り付け備品の毎日の清掃のために、生物学的に安全な非腐食性の洗剤をトイレ及び洗面台に予め噴霧することと、生物学的に安全な汎用洗浄剤を他の表面に予め噴霧することと、全てのレストルームに供給物を補充することと、ごみを集めて、このごみを、キャスタ付台車に取り付けられた容器を有する、ごみを集めるための輸送体に移すことと、マイクロファイバクロスを使用して、上面、トイレ及び洗面台を水拭きすることと、床の汚れを清掃することと、所望のレベルの清潔さを確実にし、かつ全てのツール及び設備が適切な位置に戻されたことを確かめるために、レストルームを点検することと、を具備する。また、周期的な清掃作業は、真空掃除機に取り付けられた清掃ブラシ具を使用して、上方及び下方の塵の付いたエリアの塵を払うことと、マイクロファイバクロスを使用して、作り付け備品の下の配管を含む下面を水拭きすることと、を具備する。また、周期的な清掃作業は、ブラシ及び生物学的に安全な非腐食性の洗剤を使用して、シャワーを全体的に清掃することをさらに具備することができる。
【００１４】
従って、ここで本発明の詳細な説明がよりよく理解されることができるように、また、従来技術に対する本発明の寄与がよりよく理解されることができるように、本発明の特定の実施の形態が、大まかに概説される。もちろん、本発明のさらなる実施の形態が、以下で説明され、添付の特許請求の範囲の対象となる事項を構成する。
【００１５】
この点に関して、本発明の少なくとも１つの実施の形態を説明する前に、本発明は、その適用形態において、構成の詳細、及び以下の説明で説明され、図面に示される構成要素の配置に限定されない。本発明は、説明される実施の形態に加えて、さまざまな方法で実行されることができる。さらに、本明細書及び要約で使用される語法及び用語もまた、説明を目的としており、本発明を限定するものと解釈されるべきでないことが理解されるべきである。
【００１６】
このため、当業者は、本開示が基としている概念が、本発明のいくつかの目的を実行するために、他の構造、方法及びシステムの設計の根拠として容易に利用されることができることを認識するであろう。それゆえ、本発明の意図及び範囲から逸脱しない限り、特許請求の範囲は、このような均等な構成物を含むものと解釈される。
【００１７】
本発明の例の実施の形態は、改良された品質及び改良された生産性を有する清掃システムを提供する。これらの実施の形態では、清掃システムは、通常のシステムよりも少ない項目数、生体親和性、「生物学的に安全な」（“bio-safe”）物質を利用することができる。このように、清掃システムのいくつかの実施の形態は、必要なツールがより少ないシステムを含み、ユーザが時間節約の特徴のいくつかの清掃プロセスを組み合わせることを可能にする。また、このシステムは、各清掃ツールのための多くの訓練マニュアル及びビデオよりも簡単にされたマニュアル及び改良されたラベルが使用されることができるので、より簡単な訓練を可能にする。本発明に従う清掃システムは、以下でさらに説明されるように、特別なシステムに認可された物質、設備及びツールを最適に利用する。
【００１８】
本発明の例の実施の形態では、清掃ブラシ具は、清掃システムと共に使用されることができる。清掃ブラシ具の例の実施の形態は、汚れや塵が、金属レールによってハンドルに取り付けられたブラシ毛の列の間のギャップへと掃かれることを可能にする。これらの実施の形態では、塵は、塵を掃き集めるための個別の工程を必要とすることなく、複数の吸引孔の列に同時に集められる。かくして、内側及び外側のブラシ毛の間隔は、塵が、通気する空気へ絶えず分散するよりもむしろギャップ中に閉じ込められることを可能にする。さらに、表面は、保護前面のブラシ毛が、ハンドルが表面と接触して引っ掻くのを防ぐので、塵を払っている間、損傷されにくい。本発明の清掃システム及び清掃ブラシ具は、図面を参照して説明され、同じ参照符号は、図面全体にわたって同じ部分を参照する。
【図面の簡単な説明】
【００１９】
【図１】図１は、本発明の一実施の形態に従う、会社を清掃するための清掃システムの概略を示す図である。
【図２】図２は、本発明の他の実施の形態に従う、清掃システムで使用するための清掃ブラシ具の底部の斜視図である。
【図３】図３は、本発明の一実施の形態に従う、休憩室を清掃するための清掃システムの概略を示す図である。
【図４】図４は、本発明の実施の形態に従う、レストルームを清掃するための清掃システムの概略を示す図である。
【発明を実施するための形態】
【００２０】
図１は、本発明の実施の形態に従う、会社を清掃するための清掃システムの概略を示す図である。本発明の例の実施の形態は、会社を清掃するためのような、部屋を清掃するための清掃システム１００を提供する。この清掃システム１００は、会社のような部屋を清掃するために、清掃工程を、日課（毎日の作業）１０５と、毎週の作業のような周期的な一連の作業１１０とに分ける。毎日の作業１０５は、ごみを空にする（移す）工程１１５と、汚れを清掃する工程１１７と、汚れに（真空）掃除機をかける工程１２０と、カーペットの汚れに（真空）掃除機をかける工程１２５ａと床にモップをかける（flat-mopping）工程１２５ｂとの少なくとも一方を含む汚れた床を清掃する工程１２５とを含む。最後に、毎日の作業１０５は、所望のレベルの清潔さを確実にするように、部屋の点検１３０で終えられる。毎週の作業１１０は、上方及び下方の高さのところの塵を払うこと１３５と、机のような家具を水拭きすること１４０と、床を全体的に清掃すること１４５と、を含み、これは、カーペットの掃除機がけや床のモップがけ（flat-mopping）を含むことができる。
【００２１】
部屋を清掃するための清掃システム１００の例の実施の形態では、システムに認可されたごみの容器は、ごみを集めて空にすること１１５に使用されるであろう。例えば、キャスタ付台車を備えた４４ガロン（約１６６．５４リットル）のブルート（登録商標）の容器が、ごみ及び砕片を集めるために使用されることができる。ブルートの容器は、管理人の物置に収納されることができる。例の実施の形態では、ごみは、清掃システム１００における第１の工程１１５として、ブルートの容器中に全部移されるべきである。大型施設では、ごみは、集められ、後に集配されるように設定されることができる。さらに、防水布かホッパは、漏出から床を保護するために使用されることができ、例えば、６フィート（１８２．８８センチメートル）×６フィート（１８２．８８センチメートル）の防水布が使用されることができる。ライナの巧みな配置は、速く効果的にごみを集めるのを促進するために使用されることができる。破れたり汚されたりしたとき、ライナは交換されることができる。ライナが交換を必要とするならば、ライナは、把持され、ごみ箱から取り除かれ、新しいライナと取り替えられるべきである。使用済のライナは、ブルートの容器内に入れられることができる。ごみ箱は、その元の位置に戻されるべきである。通常掃除機をかけることができない床の砕片は、拾い上げられ、ブルートの容器内に入れられるべきである。会社が、例えば、使用しない会社であるように、さらなる対処を必要としなければ、光源が、さらなるサービスがその部屋に関して必要ではないという合図を送るために切られることができる。
【００２２】
部屋を清掃するための清掃システム１００の例の実施の形態では、所定のシステムに認可された物質は、汚れを清掃すること１１７を行うために使用される。緑のための（Green For）（商標）汎用クリーニング（ＧＰＣ）のような、希釈せずにそのまま使用可能な（ready-to-use）（ＲＴＵ）生物学的に安全な汎用洗浄剤が、ガラス、金属、セラミック、積層材及び塗面に使用されることができる。ライトグリーン（環境保護重視）ラベル識別子の色を有するＧＰＣは、中間の汚れの明るい部分を取り除いて、すじなくガラスを清掃するために使用されることができる。ＧＰＣ、又は他の適切なＲＴＵ汎用洗浄剤は、ディスペンサで、又は予め希釈された溶液を含むスプレーボトルによって、表面に直接、又はマイクロファイバクロスに塗布されることができる。
【００２３】
マイクロファイバ技術は、清掃システム１００のさまざまな部分に使用される。マイクロファイバは、人間の髪の毛の太さの１００分の１未満の太さで、ポリエステル及びナイロンでできた合成繊維である。マイクロファイバは、汚れを掴んで保持する微視的に小さな鋭い縁を有する。液体もまた、毛管作用の使用によってファイバに引き付けられるが、濯ぎか洗濯によって容易に取り除かれる。使用されるクロスにおけるマイクロファイバ技術の使用は、部屋の汚れを最適に清掃すること１１７を確実にする。
【００２４】
本発明の例の実施の形態では、マイクロファイバクロスと共に使用されるディスペンサは、正確に配分されたＲＴＵ混合物を混合し撒布する機械であることができ、配分制御装置としても参照されることができる。このディスペンサは、無駄をなくし、濃縮物質を周囲に晒すのを減らす。物質の誤用の可能性をなくすために、明瞭なラベルが、ディスペンサに貼られることができる。さらに、物質ディスペンサは、バケツ及び自動浄化装置（auto-scrubber）を満たすための高流能力と、スプレーボトルを満たすための低流能力との両方を有することができる。また、物質ディスペンサは、４つ以上の異なる物質のうちの１つを撒布する選択を可能にする選択スイッチをさらに有することができる。
【００２５】
少量のＧＰＣは、例えば、清掃システム１００において、ガラス及び机の表面の汚れを清掃すること１１７で使用されることができる。このように、食物のしみ、指紋及びコーヒーカップのリングは、表面から取り除かれることができる。また、例の実施の形態では、ＧＰＣは、汚れたごみ箱を清掃するために使用されることができる。洗浄剤で湿らされたマイクロファイバクロスは、例えば、入口のガラスの汚れを清掃するために使用されることができる。汚れがクロスに溜まったとき、クロスは、過度の汚れの堆積によりすじが出るのを回避するために、濯がれ、絞られ、再使用されることができる。かなり又は余分に湿らされたクロスは、クロスが濯がれる回数を減少させるために、大きなエリアを掃除するために供給されることができる。
【００２６】
部屋を清掃するための清掃システム１００の次の毎日の作業１０５では、（真空）掃除機によってごみを払うこと１２０は、ダストワンド（登録商標）のような清掃ブラシ具を使用して行われることができ、これは、１つの工程で塵を掃き集める。このような清掃ブラシ具の実施の形態は、図２に示される。この清掃ブラシ具２００は、真空掃除機（図示されない）に器具２００を取り付けるのに適切なハンドル２５０と、ブラシ毛２５５ａ、２５５ｂ、２６０ａ、２６０ｂの列とを有する。汚れ及び塵は、ブラシ毛２５５ａ、２５５ｂ、２６０ａ、２６０ｂの列の間に位置されたギャップＧへと導かれる。
【００２７】
例の実施の形態では、清掃ブラシ具２００は、内側の列のブラシ毛２５５ａ、２５５ｂの間に位置された、ギャップＧ内の複数の中心吸引孔２６５の列を有する。例の実施の形態では、ブラシ毛２５５ａ、２５５ｂ、２６０ａ、２６０ｂの列は、中心吸引孔２６５の列から離れるように向けられている。また、ハンドル２５０は、バキュームホース（図示されない）への器具２００の嵌め込みを助けるために、ブラシ具２００の一端部に複数の溝２７０を有することができる。
【００２８】
清掃ブラシ具２００は、図２に示されるように、前面のブラシ毛２７５ａ、２７５ｂをさらに有することができる。前面のブラシ毛２７５ａ、２７５ｂが外向きに向けられているので、ハンドル２５０は、塵がこれらブラシ毛から除去されたとき、表面を損傷する可能性がほとんどない。この理由のために、これら前面のブラシ毛２７５ａ、２７５ｂは、ハンドル２５０に対して９０度でない所定の角度を形成するように向けられている。２つの前面のブラシ毛２７５ａ、２７５ｂが図示されるが、ブラシ具２００は、塵を払っている間、ハンドル２５０が表面を引っ掻くのを防ぐために、少なくとも１つの前面のブラシ毛を有することができる。例の実施の形態では、例えば、清掃ブラシ具２００は、少なくとも２つの前面のブラシ毛２７５ａ、２７５ｂを有することができる。
【００２９】
清掃ブラシ具２００の例の実施の形態では、２つの内側の列のブラシ毛２５５ａ、２５５ｂは、ハンドル２５０に取り付けられることができる。これら２つの内側の列のブラシ毛２５５ａ、２５５ｂは、これらブラシ毛が中心吸引孔２６５の列から離れて向けられるように、所定の角度で取り付けられることができる。また、他の実施の形態では、ブラシ具２００は、３つ以上の内側の列のブラシ毛２５５ａ、２５５ｂを有することができる。
【００３０】
外側の列のブラシ毛２６０ａ、２６０ｂは、ブラシ毛２５５ａの列と２６０ａの列との間に、及び、ブラシ毛２５５ｂの列と２６０ｂの列との間に、幅の広いギャップＧを維持するために、内側の列のブラシ毛２５５ａ、２５５ｂよりも角度が大きいことができる。ブラシ毛の列の間のギャップＧを約１／２インチ（約１．２７センチメートル）に維持することが望ましい。しかし、１／４インチ（約０．６３５センチメートル）以下及び１インチ（約２．５４センチメートル）以上のギャップも、本発明の実施の形態内にある。清掃ブラシ具２００の例の実施の形態では、ブラシ毛２５５ａ、２５５ｂ、２６０ａ、２６０ｂの列は、馬髪の毛、合成材料、又は他の適切な材料でできたブラシ毛を含むことができる。
【００３１】
器具２００のハンドル２５０は、木材、鋼、アルミニウム、プラスチック又はこれらの組合せ、もしくは、真空掃除機のホースの付属品又はスタンドアロンのブラシとして使用するのに適した他の材料から製造されることができる。本発明に従うハンドル２５０は、約７ないし２１インチ（約１７．７８ないし５３．３４センチメートル）の長さであることができる。例えば、ハンドル２５０は、１４インチ（約３５．５６センチメートル）の長さであることができる。ハンドル２５０は、ブラシ毛２５５ａ、２５５ｂ、２６０ａ、２６０ｂの列を取り付けるために、内側レールの付属品（図示されない）を含むことができる。着脱可能なブラシ毛のレールのこの配置は、損傷を受けたブラシ毛の列の選択的な交換を可能にし、ブラシ全体を廃棄することに代わって、交換が必要とされる列のみが廃棄されるので、ブラシ具２００のより安価なメンテナンスを可能にする。
【００３２】
ハンドル２５０は、上で説明された中心吸引孔２６５の列を有し、内側の列のブラシ毛２５５ａと外側の列のブラシ毛２６０ａとの間に位置された外側の列の複数の吸引孔２８０をさらに有する。ハンドル２５０は、内側の列のブラシ毛２５５ｂと外側の列のブラシ毛２６０ｂとの間に位置された他の外側の列の複数の吸引孔２８５を有する。例の実施の形態では、複数の吸引孔２６５、２８０、２８５の各列は、異なる形状及びサイズの３組の吸引孔を有し、必要に応じて、多かれ少なかれ複数組の吸引孔を有することができる。さらに、ハンドルは、塵がこれら孔に容易に吸引されることができるように、吸引孔に向かって内側に傾いた曲線部分である複数の傾斜した突条部２９０を有することができる。
【００３３】
清掃ブラシ具２００が使用されているとき、真空掃除機（図示されない）は、ハンドル２５０の基端部２５０ａに取り付けられている。真空掃除機は、ハンドル２５０の先端部２５０ｂから最も離れている。従って、真空掃除機は、ハンドル２５０の基端部２５０ａに最も近接して位置された吸引孔のところで、より吸引力を与えるであろう。吸引孔２６５、２８０、２８５の各列の内で、真空掃除機からさらに離れたこれら孔の吸引力の減少を引き起こすベンチュリ効果を説明するために、ハンドル２５０の基端部２５０ａに近接している吸引孔は、塵の微粒子のよりよい吸引を提供するように大きくされることができる。例の実施の形態では、ハンドル２５０の基端部２５０ａに最も近接して位置された吸引孔は、その位置での吸引力が最も強いので、最も小さい。従って、これら孔２６５、２８０、２８５の各列がハンドル２５０の先端部２５０ｂに近づくのに従って、吸引孔のサイズが増加する。例えば、吸引孔２６５の列は、３つの孔を有することができる。基端部２５０ａに最も近い孔は、０．９インチ（約２．２８６センチメートル）である。中央の孔は、長さ１インチ（約２．５４センチメートル）である。そして、先端部２５０ｂに最も近い孔は、１．１インチ（約２．７９４センチメートル）である。他の実施の形態では、列をなす吸引孔２６５、２８０、２８５は、互いに整列（align）される、又は互い違いに配置されることができる。
【００３４】
清掃ブラシ具２００は、真空掃除機に取り付けられ、塵の微粒子及び他の小さな砕片を除去するために表面に適用されることができる。使用しているとき、ブラシ毛の端部は、所定の角度で塵を払われるべき表面と接触する。外側及び内側の列のブラシ毛２５５ａ、２５５ｂ、２６０ａ、２６０ｂは、塵を掻き回すことによって微粒子や破片を空気で運んで、ギャップＧの中に捕えるように構成されることができる。そして、塵は、列をなす吸引孔２６５、２８０、２８５を経由して、真空掃除機（図示されない）によって集められる。前面のブラシ毛２７５ａ、２７５ｂは、ハンドル２５０がその基端部２５０ａのところで表面と接触するのを防ぐことによって、塵を払っている間、表面を保護する。
【００３５】
本発明によれば、会社に入る際、清掃ブラシ具２００を使用して（真空）掃除機で塵を払うこと１２０は、入口のところの右に塵を払うことにより始まるべきである。そして、掃除機で塵を払うこと１２０は、入口のところに向かって後ろに部屋をまわって進むことができる。さらに、掃除機で塵を払うこと１２０は、コンピュータの後ろで、所定の場所から離れて、出っ張り、塑造物（molding）、フレームに清掃ブラシ具２００を適用することを含むことができる。一般的に、加工物の表面（work surface）は、掃除機で塵を払うこと１２０をなされない、なぜならば、これらは、指紋や食物の汚れを除去するために、汚れを清掃すること１１７の間、湿らされているからである。掃除機で塵を払うこと１１７は、毎日の工程１０５として初めは取り扱われるが、清掃ブラシ具２００は、塵を払う工程１１７が毎日の工程１０５というよりむしろ毎週の工程１１０となることができる環境を清掃するであろうことが期待される。
【００３６】
部屋を清掃するための清掃システム１００における次の毎日の工程１０５は、汚れに（真空）掃除機をかけること１２５ａと、床の汚れにモップをかけること１２５ｂとの少なくとも一方である。カーペットは、環境に配慮した設計のリーダーシップ（ＬＥＥＤ）グリーンビルディング評価等級システムのガイドラインによる標準設定に従って、７０デシベル以下の音で、０．３ミクロンの微粒子の９９．９７％を捕らえることが可能な真空掃除機を使用して、掃除機をかけられること１２５ａができる。この基準を満たす真空掃除機のモデルの例は、直立（縦長）型かつバックパックの真空掃除機モデルの中では、ＰＶ−５００（商標）、エベレスト（商標）、Provac（商標）及びアルパイン（商標）バックパック真空掃除機である。
【００３７】
真空掃除機は、最大の清掃効率を達成するために、サイドワインダーツール（商標）のような、いくつかの付属品と共に使用されることができる。これらのツールは、汚れに掃除機をかけること１２５ａを可能にするように、通常費やされる家具の移動及び位置決めの時間を節約する。真空掃除機を損傷する、又は空気の流れを止め得る任意の大きな物体又は部材の汚れに掃除機をかけること１２５ａを回避することによって、真空掃除機は、必要に応じて部屋のまわりをかけられるべきである。そして、移動されたいかなる家具も、元の位置へ再び戻されるべきである。
【００３８】
緑のためのカーペット（ＧＦＣ）のような、低水分の汚れ用洗浄剤は、真空掃除機と共に使用されることができる。ＧＦＣは、多様な汎用カーペット洗浄剤及びしみ抜き剤である。この洗浄剤は、簡単に使えて、ほとんどのメンテナンス作業で効果的である。ＲＴＵ溶液は、圧力式噴霧器（pressure sprayer）で塗布されることができる。ＧＦＣは、低水分システムで効果的であり、抽出を必要としない。
【００３９】
硬い床の汚れにモップをかける際、フラットモップ（商標）及びメガモップ（商標）のような単一工程のモップシステムが使用されることができる。これらの単一工程のモップシステムは、バケツ及び絞り機の必要性をなくし、また、ほとんどの場合、予め掃くことやダストモップの目的で機能する。これらのプロセスは、より大きな生産性を提供する湿ったモップと取り替えられる。メガモップは、ＲＴＵの床用の清掃用物質を撒布する中空のアルミニウムチューブモップである。メガモップのアルミニウム及びプラスチックの構成は、清潔で本格的な外観に帰着する。緩衝用の泡手パッドは、ユーザに心地よさを提供する。
【００４０】
スクィーズボトルは、メガモップを適切な物質で満たすために使用される。緑のための床（ＧＦＦ）のような床用洗浄剤は、押しボタン流体制御バルブの使用によって床に塗布される。ＧＦＦは、汚れや黒いかかとの跡を効果的に除去する、硬い表面の床の定期清掃用の中性のｐＨの洗浄剤である。ＧＦＦは、濯ぎを必要とせず、床仕上を損傷しない。ＲＴＵ混合物は、メガパッド（商標）を予め浸すことによって、もしくはメガモップによって、噴出ボトル、スプレーボトルで床の表面に塗布されることができる。
【００４１】
メガパッドのようなマイクロファイバのフラットパッドは、メガモップと共に使用されることができる。ベルクロの裏打ちが、モップホルダのベースのところで、ホルダにメガパッドを取り付けるために使用されることができる。清浄液は、床の上にメガモップから撒布される。メガパッドは、湿るまで溶液に挿入されて、床が清掃される。幾分、メガパッドにマイクロファイバ技術が使用されているので、改良された清掃が可能である。
【００４２】
メガモップは、ポールの底部のところで、メガパッドホルダとばね負荷ボタンとを接続することによって、使用する準備がなされることができる。ホルダの可撓性チューブ及びホルダのより広い側部は、同じ側にあるべきである。そして、バルブは、メガモップの上側から取り除かれるべきであり、ＲＴＵ溶液で満たされることができ、さらに、バルブが、メガモップの上部のところで交換されるべきである。押しボタン流体制御バルブは、ＲＴＵ溶液が流れることを可能にするように駆動されることができる。メガパッドは、湿るまで溶液に挿入されて、床の清掃が始められることができる。メガモップは、床の汚れを清掃すること１２５ｂのために使用されることができる。フラットモップ及びボトルが床用清浄液を含むので、バケツ及び絞り機の必要はない。絞り機を使用することによる腕や背中への負担や、バケツを空にしたり補充したりすることによる時間の浪費がなくなる。新しくて汚染されていない溶液が、いつでも運ばれる。会社の床の汚れを清掃すること１２５ｂに加えて、休憩室、レストルームなどの床もまた、同時に汚れを清掃されることができる。
【００４３】
最後の単純な点検工程１３０は、清掃システム１００の最もよく忘れられる工程であり、最も重要な工程である。この点検１３０は、そぐわない家具、交換されないごみの容器、後ろに残されたスプレーボトルなどを、部屋を回って見ることからなる。この点検１３０中、以前に見落とされた汚れたエリアが、見つけられることができ、この点のところで、塵を払い清掃する以前の工程が繰り返されることができる。従って、部屋は、清潔で整然として清掃が完了しているように見えるべきである。
【００４４】
周期的な作業１１０は、必要に応じて日単位（daily basis）で行われることができる選択的な作業である。周期的な作業１１０は、上方／下方の塵を払うこと１３５から始まる。部屋に入る際、上方の塵の付いた表面（dust surface）は、清掃ブラシ具２００を使用して塵を払われるべきである。上方の塵の付いた表面は、照明の頂部、ドア、カーテンの上部のパーティション、換気装置のカバーなどのような、肩の高さよりも高いいかなる表面をも含むことができる。上方／下方の塵を払うこと１３５は、通路に到達するまで、部屋の高い位置をまわって進むべきである。そして、塵を払うことは、イス、テーブルのアーム及び脚、ラジエータ及びエアコンディショナユニットなどのような、腰よりも低い表面を含む下方の塵の付いた表面に向かって下向きに進むべきである。一般的に、このように集中的に塵を払うことは、週単位（weekly basis）でのみ必要である。
【００４５】
次の周期的な作業は、机を水拭きすること１４０である。部屋に入る際、水拭き清掃すること１４０は、右に進むことができ、部屋をまわって進み、入口のところに戻る。マイクロファイバクロスが、机の汚れを清掃すること１１７のための毎日の作業１０５でのように使用されることができる。さらに、ＧＰＣは、全ての表面に使用されるべきである。水拭き清掃すること１４０は、仕切りパーティション、ファイル棚、ガラス、家具、照明スイッチ、ドアフレーム及び壁から汚れを除去するために使用されることができる。
【００４６】
会社のための捕獲及び除去清掃システム１００の最終工程は、床を清掃する工程１４５である。これは、カーペット１４５ａに（真空）掃除機をかけることと、床にモップをかけること１４５ｂと、の少なくとも一方を含むことができる。掃除機をかけること又はモップをかけることは、床全体が清掃されるまで、部屋をまわって動いて適用されることができる。メガモップかフラットモップのようなモップを使用するとき、床は、通路に向かって部屋の後ろから清掃されるべきである。Ｓ形状のストロークは、メガモップの前縁に汚れや砕片を捕えるために使用されることができる。より広いエリアをモップがけするとき、複数のモップパッドが使用されることができる。メガパッドは、３つ又は４つの部屋ごとに、又は、汚れたとき、使用されたり変更されたりすることができる。会社の床を清掃すること１４５に加えて、休憩室、レストルームなどの床もまた、同時に清掃されることができる。
【００４７】
図３は、本発明の一実施の形態に従う、休憩室を清掃するための清掃システム３００の概略を示す図である。会社を清掃することに関して、休憩室を清掃するための清掃システム３００は、毎日の作業３０５と周期的な一連の作業３１０との両方を含む。第１の毎日の作業３０５は、ＧＰＣを予め噴霧されることを含むことができるマイクロウェブを清掃すること３９２である。硬くなった食物の微粒子の場合には、ＧＰＣの軽い噴霧がマイクロウェブの表面にとどまることを可能にすることによって、後の除去される微粒子を柔らかくする。次に、ＧＰＣで湿らされたマイクロファイバクロスは、マイクロウェブの内側及び外側の表面のいかなる緩い食物の微粒子／汚れをも除去するために使用されることができる。
【００４８】
休憩室を清掃するための次の毎日の作業３０５は、適切な表面の水拭き３９３を含む。まず、窓／ガラスパーティション、スイッチプレート及びドアプッシュプレートが、必要に応じて汚れを掃除されるべきである。次に、全てのテーブル、イス、カウンタ及び棚の前面が、必要に応じてＧＰＣを使用して拭かれるべきである。マイクロファイバクロスが使用されることができる。クロスが汚れたとき、このクロスは、必要に応じて、濯がれ、絞られ、再使用されることができる。この点では、マイクロウェブの最終的な清掃が必要とされることができる。
【００４９】
休憩室を清掃するための次の毎日の作業３０５は、洗面台を清掃すること３９５を含む。ＲＴＵの緑のためのレストルーム（ＧＦＲ）のような、タイル、浴槽、グラウト及びトイレのボウル洗浄剤（ＧＦＲ）は、洗面台に噴霧されることができる。ＧＦＲは、レストルームの作り付け備品の毎日の掃除のための非腐食性の洗浄剤である。希釈液は、ボウルモップ、噴霧器又は噴出ボトルを使用して、表面に直接塗布される。濃縮液は、カルシウム、石灰及びさびの堆積物の穏やかな除去のために、毎週、又は極端な汚れの状態となったとき、塗布されることができる。また、希釈液は、セラミックのタイル、シャワー及び浴槽から石鹸のかすを除去するのに効果的であり、優れたグラウト洗浄剤である。洗面台は、ＧＦＲで湿らされたマイクロファイバクロスで洗面台を拭くことにより、もしくは、洗面台にＧＦＲを直接塗布して、湿ったマイクロファイバクロスで拭くことにより、清掃されることができる。
【００５０】
休憩室の床は、工程１２５において上に説明されるように、メガパッドやフラットモップのようなモップを使用して、一日単位で汚れを清掃されること３２５ができる。最後に、休憩室の点検３３０が、所望のレベルの清潔さを確実にし、全てのツール及び設備及びイスが適切な位置に戻されたことを確かめるために行われるべきである。
【００５１】
休憩室を掃除するための周期的な作業３１０は、必要に応じて日単位で行われることができる選択的な作業である。周期的な作業３１０は、上方／下方の塵を払うこと３３５から始まる。部屋に入る際、上方の塵の付いた表面は、清掃ブラシ具２００を使用して塵を払われるべきである。上方の塵の付いた表面は、照明の頂部、ドア、カーテンの上部のパーティション、換気装置のカバーなどのような、肩の高さよりも高いいかなる表面をも含むことができる。上方／下方の塵を払うこと３３５は、通路に到達するまで、部屋の高い位置をまわって進むべきである。そして、塵を払うことは、イス、テーブルのアーム及び脚、ラジエータ及びエアコンディショナユニットなどのような、腰よりも低い表面を含む下方の塵の付いた表面に向かって下向きに進むべきである。さらに、壁は、必要に応じて汚れを清掃されることができる。一般的に、このように集中的に塵を払うことは、週単位でのみ必要である。
【００５２】
次の周期的な作業３１０は、休憩室の床を全体的に（完全に）清掃すること３４５である。休憩室の床は、工程１４５に上に記述されるように、メガモップやフラットモップのようなモップを使用して、周期的な単位で全体的に清掃されること３４５ができる。休憩室のための捕獲及び除去清掃システム３００の最終工程は、イス及びテーブルを湿らせて清掃すること３４０である。部屋に入る際、湿らせて清掃すること３４０は、右に進み、部屋をまわって入口のところに進む。会社の机の水拭き１４０の周期的な作業１１０でのように、マイクロファイバクロス及びＧＰＣが使用されることができる。
【００５３】
図４は、本発明の一実施の形態に従う、レストルームを掃除するための清掃システム４００の概略的な図である。会社及び休憩室を掃除することでのように、レストルームを掃除するための清掃システム４００は、毎日の作業４０５と周期的な一連の作業４１０との両方を含む。第１の毎日の作業４０５は、ＧＦＲが噴霧されるトイレ及び洗面台を除いて、ＧＰＣを全ての表面に予め噴霧すること４９２である。ＲＴＵ溶液は、表面の汚れを柔らかくすることを可能にする時間おかれるべきである。ＧＦＲは、男性用便器及びトイレの内面に塗布されて、汚れが後で取り除かれるように、５ないし１０分間とどまるようにされるべきである。
【００５４】
レストルームを清掃する次の毎日の作業４０５は、ペーパタオル、トイレットペーパ、ティッシュペーパ、自動販売機の供給物、石鹸及び他の製品ディスペンサを補充することを含む全ての供給物を補充すること４９６からなる。そして、レストルームのごみは、会社を清掃することにおける第１の工程１１５で説明されたように、集めて空にされる４１５べきである。レストルームを清掃する次の毎日の工程４０５では、マイクロファイバクロスは、鏡、洗面台、作り付け備品及びトイレ（flushable）を含むことができる全ての表面を水拭きする４９３ために使用されることができる。
【００５５】
一般的に、表面は、上から下へと清掃されるべきである。例えば、鏡は、代表的には、洗面台の前に清掃されるべきである。表面の清掃４９３は、トイレの内部かつ後ろに、及びリムの後ろに、ＧＦＲを使用して作り付け備品の首部を下って、清掃することを含むべきである。トイレは、清掃後に洗い流されるべきである。マイクロファイバクロスの使用に関して、各セクションは、レストルーム用には赤、浴槽用には青、一般用には緑、のように、色付きのクロスを指定されることができる。このような頭韻を踏んだシステム（alliterative system）は、ユーザが簡単に思い出すことができる。
【００５６】
レストルームの床は、工程１４５、３４５で上に説明されたように、メガモップ又はフラットモップのようなモップを使用して、日単位で清掃されること４４５ができる。最後に、レストルームの点検４３０が、所望のレベルの清潔さを確実にし、かつ全てのツール及び設備、イスなどが適切な位置に戻されたことを確かめるために行われるべきである。
【００５７】
レストルームを清掃するための周期的な作業４１０は、必要であれば、日単位上で行われることができる選択的な作業である。周期的な作業４１０は、上方／下方の塵を払うこと４３５から始まる。部屋に入る際、上方の塵の付いた表面は、清掃ブラシ具２００を使用して塵を払われるべきである。上方の塵の付いた表面は、照明の頂部、ドア、カーテンの上部のパーティション、換気装置のカバーなどのような、肩の高さよりも高いいかなる表面をも含むことができる。上方／下方の塵を払うこと４３５は、通路に到達するまで、部屋の高い位置をまわって進むべきである。そして、塵を払うことは、洗面台、便器のような、腰よりも低い表面を含む下方の塵の付いた表面に向かって下向きに進むべきである。また、壁は、必要に応じて汚れを清掃されることができる。一般的に、このように集中的に塵を払うことは、週単位でのみ必要である。
【００５８】
次の周期的な作業４１０は、下面（底面、床面）を手で清掃すること４９７である。配管やコーナの真下のような、レストルームの下面は、ＧＰＣで湿らせられたマイクロファイバクロスかハンドモップを使用して、周期的な単位で全体的に清掃されること４９７ができる。レストルームのための捕獲及び除去清掃システム４００の最終工程は、シャワーを完全に清掃すること４９９である。ＧＦＲ溶液は、シャワーの壁及び床に塗布され、５ないし１０分間とどまることができる。そして、シャワーは、特にファイバガラスユニットを備えた表面を引っ掻いたり傷付けたりしないように注意しながら、表面と同じくらい堅いブラシで動かすことができる。そして、シャワーは、徹底的に濯がれて点検されるべきである。
【００５９】
本発明の多くの特徴及び効果が、詳細な説明から明らかであり、従って、本発明の真意及び範囲内にある本発明のこのような特徴及び効果を全てカバーする添付の特許請求の範囲によって意図される。さらに、多くの変更及び変形が、当業者によって容易になされ、本発明は、図示及び説明される構成及び動作に限定することを望むものではなく、従って、全ての適切な変更及び均等物が、本発明の範囲内にあることが理解されるであろう。
【図１】
2011504789.tif 000003
【図２】
2011504789.tif 000004
【図３】
2011504789.tif 000005
【図４】
2011504789.tif 000006
【国際調査報告】
2011504789.tif 000007